(57)【要約】【課題】大型化することなく、ホースの送出および巻き取りを作業性よく行う。【解決手段】薬液などの液体を貯留するタンク１１と、該タンク１１内の液体を噴出する噴出手段（ギアポンプ１８）と、該噴出手段に接続した長尺なホース３５を送出可能に巻き取るホースリール３４とを備えた噴霧機において、ホースリール３４は、上向きに延びる巻取軸部材３６と、該巻取軸部材３６の上下方向の略中央にホース３５を位置させるガイド手段（ホース挿通孔４７）とを備えた構成とする。【選択図】図２
2006131398.tif 000002
【特許請求の範囲】
【請求項１】
上向きに延びる巻取軸部材と、該巻取軸部材の上下方向の略中央にホースを位置させるガイド手段とを備えていることを特徴とするホースリール。
【請求項２】
前記ガイド手段は、前記巻取軸部材に巻き取ったホースの外周部を覆うカバーに設けた挿通孔の下端縁からなることを特徴とする請求項１に記載のホースリール。
【請求項３】
薬液などの液体を貯留するタンクと、該タンク内の液体を噴出する噴出手段と、該噴出手段に接続した長尺なホースを送出可能に巻き取るホースリールとを備えた噴霧機において、
前記ホースリールは、上向きに延びる巻取軸部材と、該巻取軸部材の上下方向の略中央に前記ホースを位置させるガイド手段とを備えていることを特徴とする噴霧機。
【請求項４】
前記ホースリールを前記タンクの上方に配設したことを特徴とする請求項３に記載の噴霧機。
【発明の詳細な説明】
【技術分野】
【０００１】
本発明は、ホースを送出可能に巻き取るホースリール、および、タンク内に貯留した除草剤や防虫剤などの液体農薬などを噴霧する前記ホースリールを用いた噴霧機に関するものである。
【背景技術】
【０００２】
この種のホースリールは、長尺なホースを巻き取ることにより、ホースをコンパクトに纏めて収納したり、収納状態でホースが絡まることを防止する役割をなすものである。一方、噴霧機は、薬液などの液体を貯留するタンクと、該タンク内の液体を噴出する噴出手段と、該噴出手段に接続したホースと、該ホースの先端に取り付けたノズルとを備え、長尺なホースを搭載するものには、前記ホースリールが搭載される。
【０００３】
本発明のホースリールおよび該ホースリールを用いた噴霧機に関連する先行技術文献情報としては次のものがある。
【０００４】
【特許文献１】実公平７−２５３１号公報
【特許文献２】特許第３１１８１４６号公報
【０００５】
特許文献１には、ホースを巻き取るための回転軸を垂直方向に延びるように配置したホースリールが記載されている。
【０００６】
また、特許文献２には、移動用のキャリーの前端に垂直方向に延びる回転軸を設け、該回転軸に対して水平方向に回転可能なホースリール取付台を配設した噴霧機が記載されている。そして、この取付台には、水平方向に延びる巻取軸部材と、該巻取軸部材の両端に一体的に配設した円板状の側板とを備えたホースリールが固定されている。
【０００７】
しかしながら、特許文献１に記載のホースリールでは、回転軸に対して上下方向に一様に巻回した状態でホースを巻き取ることができないという問題がある。具体的には、ユーザがホースを把持していない状態では、ホースは自重により垂れ下がった状態をなす。そのため、レバー操作により回転軸を回転させると、ホースが回転軸の下側に集中して巻き取られ、その巻取状態での外径が非常に大きくなるという問題がある。
【０００８】
また、特許文献２の噴霧機に搭載したホースリールは、巻取軸部材が水平方向に延びるため、前記問題が生じることは抑制できるが、このホースリールでは、ホースの巻取作業が非常に困難であるという問題がある。具体的には、この特許文献２のホースリールは、図７に示すように、ホースＨを送出または巻き取る際において、そのホースＨの延び方向ａが巻取軸部材の軸線ｂに対して平行に近づくと、巻取軸部材に一体に設けられたガイド板ＧにホースＨが干渉する。その結果、ホースＨの送出時には、その干渉部分の抵抗によりホースリールが引っ張られ、正常にホースＨを送出することができない。また、ホースＨの巻取時には、ホースＨがガイド板Ｇを設けた巻取軸部材と一緒に回転し、巻取軸部材に対して正常に巻き取ることができない。但し、この特許文献２では、ホースリールを回動可能な取付台上に配設しているため、取付台を回転自在なフリーな状態とすることにより、送出する際には前記問題が生じることを防止できる。しかし、ホースを巻取軸部材に巻き取る際には、取付台を固定しなければ、巻取操作用のレバーを回転操作することができない。そのため、前記取付台には固定構造が必要になり、構造が複雑になるうえ、回転スペースを確保する必要があるため、製品が大型化してしまうという問題がある。
【発明の開示】
【発明が解決しようとする課題】
【０００９】
本発明では、大型化させることなく、ホースの送出および巻き取りを作業性よく行うことができるホースリールおよび該ホースリールを用いた噴霧機を提供することを課題とするものである。
【課題を解決するための手段】
【００１０】
前記課題を解決するため、本発明のホースリールは、上向きに延びる巻取軸部材と、該巻取軸部材の上下方向の略中央にホースを位置させるガイド手段とを備えた構成としている。
このホースリールでは、前記ガイド手段は、前記巻取軸部材に巻き取ったホースの外周部を覆うカバーに設けた挿通孔の下端縁からなることが好ましい。
【００１１】
また、前記ホースリールを用いた本発明の噴霧機は、薬液などの液体を貯留するタンクと、該タンク内の液体を噴出する噴出手段と、該噴出手段に接続した長尺なホースを送出可能に巻き取るホースリールとを備えた噴霧機において、前記ホースリールは、上向きに延びる巻取軸部材と、該巻取軸部材の上下方向の略中央に前記ホースを位置させるガイド手段とを備えたものである。
この噴霧機では、前記ホースリールを前記タンクの上方に配設することが好ましい。
【発明の効果】
【００１２】
本発明のホースリールでは、巻取軸部材を上向きに延びるように配置するとともに、その略中央に位置するようにガイド手段を設けているため、ホースの送出時にガイド部材にホースが干渉しても、摩擦により若干の抵抗になるが、送出位置が安定することにより、確実に巻取軸部材を回転させて送出することができる。また、ホースの延び方向は、巻取軸部材の軸と直交する面に対して常に平行に近い状態に維持され、巻取軸部材の軸に対して平行に位置することは殆どないため、巻取軸部材の回転動作の妨げになることを抑制できる。その結果、ホースの送出作業性が悪くなることを防止できる。
【００１３】
また、ホースの巻取時には、前記巻取軸部材に対してガイド部材を略中央に位置させているため、巻取軸部材に対する巻取方向を上下に繰り返しながら略整列させて巻回することができる。しかも、この巻取作業時にも、ガイド手段にホースが干渉するが、ホースが巻取軸部材と一緒に回転することはないため、ホースの巻取作業の阻害を大幅に抑制することができる。
【発明を実施するための最良の形態】
【００１４】
以下、本発明の実施の形態を図面に従って説明する。
【００１５】
図１および図２は、本発明の実施形態に係る噴霧機を示す。この噴霧機は、噴霧機本体１０の上部にホースリール３４を一体に取り付け、これらを移動用のキャリー５３に配設したものである。
【００１６】
前記噴霧機本体１０は、図２および図３に示すように、薬液などの液体を貯留するタンク１１を備え、該タンク１１の背部に噴出手段であるギアポンプ１８、安全機構である流路切換弁２０、操作手段である操作パネル２７、電源手段であるバッテリー３２を搭載したものである。
【００１７】
前記タンク１１は、その上部に前向きに膨出した注入部１２を備え、該注入部１２の注入口１２ａが蓋体１３により開閉可能に閉塞されている。また、タンク１１の下部には、内部の液体を排出するためのドレン部１４が設けられ、該ドレン部１４の開口が蓋体１５により開閉可能に閉塞されている。そして、このタンク１１の背部には内向きに窪んだ凹部１６が設けられ、この凹部１６内に前記各部品を配設するとともに、該凹部１６の表面がカバー１７により閉塞されている。
【００１８】
前記ギアポンプ１８は、図２に示すように、前記噴霧機本体１０の下部に配設されるとともに、吸水ホース１９により前記タンク１１の下部に接続された従来と同様のものである。このギアポンプ１８は、後述する出力調節用操作部材２９の操作により通電量が変更され、それに伴って噴出圧力を変更可能としたものである。
【００１９】
前記流路切換弁２０は、後述する操作パネル２７の背部に位置するように、前記凹部１６の上方に取り付けられるとともに、第１接続ホース２１により前記ギアポンプ１８の吐出部に接続され、後述するホース３５への噴出経路と、前記タンク１１への還流経路とに流路を切り換えるものである。具体的には、この流路切換弁２０は、前記第１接続ホース２１を接続する流入部２２と、ホース３５の側である噴出経路を構成する第２接続ホース２３を接続する第１噴出部２４と、前記タンク１１の側である還流経路を構成する還流パイプ２５を接続する第２噴出部２６とを備えている。また、この流路切換弁２０の内部には、噴出経路の圧力に基づいて還流経路の側に流路を切り換えるための弁体およびスプリングが配設されている。
【００２０】
前記操作パネル２７は、図４に示すように、ギアポンプ１８をオン、オフするための電源スイッチ２８と、ギアポンプ１８による噴出圧力を変更するための出力調節用操作部材２９と、バッテリー３２を充電する際の充電用コネクタ接続部３０とを備えている。そのうち、前記出力調節用操作部材２９は、回転操作によって前記弁体のスプリングによる付勢力を変更できるように、リンク機構が配設されている。また、この出力調節用操作部材２９の背部には、図２および図３に示すように、その操作状態を検出するためのマイクロスイッチ３１Ａ，３１Ｂが配設されている。そして、両方のマイクロスイッチ３１Ａ，３１Ｂのオン状態およびオフ状態の組み合わせにより、ギアポンプ１８の動作電圧を変化させ、噴霧圧力を変更できるように構成している。
【００２１】
前記ギアポンプ１８を駆動させるためのバッテリー３２は、前記操作パネル２７の下部において、凹部１６のカバー１７に形成した収納凹部１７ａに着脱可能に配設した充電可能な周知のものである。なお、前記収納凹部１７ａの内部には、バッテリー３２と通電可能に接続するために図示しない接続端子が配設されている。また、本実施形態では、バッテリー３２の表面は、カバー１７の表面と曲面的に一致する形状とされている。
【００２２】
前記ホースリール３４は、長尺なホース３５を送出可能に巻き取るもので、巻取軸部材３６と、該巻取軸部材３６の下端に固定される底板４１と、巻き取ったホース３５の外周部を覆う外カバー４５と、該外カバー４５の下端を閉塞する底カバー４８とを備えている。ここで、ホース３５は、従来と同様に、その先端に内部の開閉弁を開閉操作する操作部を備えた図示しないノズルを取り付けた周知のものである。
【００２３】
前記巻取軸部材３６は、垂直方向に延びる円筒状のもので、その下端には底板４１を位置決め固定するために内向きに膨出した膨出部３７が設けられている。この巻取軸部材３６の上方には、その内部空間からホース３５を外部に取り出すためのホース取出穴３８が設けられている。また、本実施形態の巻取軸部材３６には、その上端に回転操作用レバー３９が一体に設けられている。この回転操作用レバー３９には、球状をなす把持部材４０が回転可能に配設されている。
【００２４】
前記底板４１は、その中心に前記巻取軸部材３６の内部に挿入されるとともに隣接する膨出部３７，３７間に位置する膨出部を有する装着部４２を設け、前記巻取軸部材３６と一体的に回転する円板状のものである。この装着部４２の中央には、前記第２接続ホース２３を接続したホース接続部材２３ａに着脱可能に接続するための接続部材４３が配設され、この接続部材４３に前記ホース取出穴３８を通して巻取軸部材３６の内部に導入したホース３５の端部が接続されている。
【００２５】
前記外カバー４５は、前記噴霧機本体１０のタンク１１の外形線と曲面的に一致する形状をなす。この外カバー４５の上面中央には前記巻取軸部材３６を挿通する挿通孔４６が設けられている。また、噴霧機本体１０の正面側である注入部１２の側には、前記巻取軸部材３６に巻き取るホース３５のホース挿通孔４７が設けられている。このホース挿通孔４７は、横方向に長い長楕円形状をなし、その下端縁は、ホース３５を巻取軸部材３６の上下方向の略中央に位置させるガイド手段の役割をなす。また、このホース挿通孔４７の上端縁は、前記ホース取出穴３８の近傍まで広がっている。
【００２６】
前記底カバー４８は、外カバー４５の下部内周面に配置されるもので、その底には前記噴霧機本体１０の上部に安定して載置するためのリブ４９が設けられている。この底カバー４８の中央には、前記接続部材４３を露出させるための貫通孔５０が設けられている。また、この底カバー４８には排水部５１が設けられ、この排水部５１に接続した排水ダクト５２により、巻き取ったホース３５から滴下した液体を排水できるように構成している。なお、前記排水ダクト５２は、前記タンク１１の凹部１６内を通って底から外部に突出されている。
【００２７】
前記ホースリール３４と一緒に噴霧機本体１０を装着するキャリー５３は、図１に示すように、底枠５４と、該底枠５４の背面から上方に突出する背面枠５７とを備えたＬ字形状のものである。前記底枠５４には、背面両側に回転可能な移動ローラ５５が配設されるとともに、正面側に一対の脚部５６が設けられている。また、前記背面枠５７の上部は把持部５８の役割をなし、噴霧機本体１０の重心を考慮して上部中心に位置するように屈曲され、安定状態で吊り下げるように把持して移動できるように構成している。
【００２８】
なお、前記構成からなる噴霧機は、その全高が約９０ｃｍであり、ホース挿通孔４７の位置は人体の腰の高さ近傍に位置するように構成している。
【００２９】
このように構成した噴霧機は、タンク１１内に貯留した液体を吸水ホース１９を介してギアポンプ１８が吸引し、該ギアポンプ１８が選択された圧力で第１接続ホース２１に噴出する。そして、この第１接続ホース２１に噴出された液体は、流路切換弁２０、第２接続ホース２３およびホース３５からなる噴出経路を通り、ホース３５の先端に設けたノズルから所定圧力で噴霧される。
【００３０】
また、ユーザがノズルの操作により噴霧を停止すると、ギアポンプ１８の動作は継続されることにより、前記噴出経路の内部圧力が上昇する。その結果、その圧力で流路切換弁２０の内部においてスプリングの付勢力に抗して弁体を後退させ、液体は、還流パイプ２５からなる還流経路を通ってタンク１１に還流される。
【００３１】
ユーザが前記ホースリール３４に巻き取ったホース３５を送出する際には、ホース挿通孔４７から進出したノズルまたはホース３５を引っ張り、巻取軸部材３６を回転させながらホース３５を引っ張り出す。この際、図５（Ａ）に示すように、ホース３５がホース挿通孔４７の内縁に干渉しないように正面に引っ張ると、底板４１および底カバー４８の間の抵抗を除き、殆ど抵抗なくホース３５は送出される。
【００３２】
一方、図５（Ｂ）に示すように、ホース３５の巻回開始側である左側にホース３５が位置し、ホース挿通孔４７の左側縁に干渉するように引っ張ると、摩擦により若干の抵抗になるが、ユーザが引っ張る力に応じて巻取軸部材３６が回転してホース３５を送出することができる。これは、ガイド手段の役割をなすホース挿通孔４７により、ホース３５の送出位置を安定させるとともに、そのホース３５の延び方向が巻取軸部材３６の軸と直交する面に対して常に平行に近い状態になるように維持し、巻取軸部材３６の軸に対して平行に位置すること防止することにより、巻取軸部材３６の回転動作の妨げになることを抑制しているためである。
【００３３】
因みに、ホース３５が右側に位置し、ホース挿通孔４７の右側縁に干渉するように引っ張った場合にはホース３５が屈曲しないため、正面から引っ張られた場合と同様に、殆ど抵抗なくホース３５を引っ張り出すことができる。また、本実施形態では、ホース挿通孔４７が人体の腰の高さ近傍に位置するため、ホース３５がホース挿通孔４７の上下端縁に干渉することはあっても、屈曲する角度で引っ張られることは殆どない。しかも、ホース３５の干渉部分であるホース挿通孔４７は、巻取軸部材３６と一緒に回転しないため、干渉による抵抗が増大し、ホースリール３４全体が引っ張られる問題を抑制できる。
【００３４】
そのため、従来例のようにホースリール３４全体を一体的に回転させる台を設けることなく、確実かつ簡単に巻回したホース３５を送出することができる。
【００３５】
一方、前記巻取軸部材３６にホース３５を巻き取る際には、レバー３９を回転させるだけで、モータなどの誘導機構を用いることなく、ホース３５を略整列した状態で巻き取ることができる。
【００３６】
具体的には、ユーザが把持していないホース３５は、図６（Ａ）に示すように、自重により下向きに垂れ下がり、ホース挿通孔４７の下側縁に干渉した状態をなす。そして、巻取作業を開始すると、ホース３５は、巻き取り時に生じる張力で、巻取軸部材３６に締め付けられ、その下端である巻取軸部材３６の略中央位置Ｐから上側に向けて一様に巻回される。なお、最初に巻取方向が上向きになるのは、ホース挿通孔４７が上向きに広がるとともにホース取出穴３８が上側に位置するためである。
【００３７】
そして、ホース取出穴３８が位置する上端に位置すると、その段差やホース３５の巻取時に生じる張力で、図６（Ｂ）に示すように、下向きに巻回される。このようにして、上側半分において２層に巻回され、１層目の最初の巻回位置まで巻き取ると、その段差によりホース３５は巻取軸部材３６の露出した下側に位置する。そして、図６（Ｃ）に示すように、巻取軸部材３６において、ホース３５が巻回されていない下側部分において、ホース３５が下向きに一様に巻回される。
【００３８】
ついで、ホース３５の巻取位置が巻取軸部材３６の下端（下板４１）に達すると、１層目の上側に位置し、上向きに巻回されることにより、図６（Ｄ）に示すように、下側半分において２層をなすように巻回される。
【００３９】
なお、図６に示す巻回作用は一例であり、その巻取作業時に作用するホース３５への張力により巻回状態は異なることもある。
【００４０】
このように、本実施形態の噴霧機では、上向きに延びる巻取軸部材３６の略中央に位置するようにホース挿通孔４７の下端縁を位置させているため、巻取軸部材３６に対して巻取方向を上下に繰り返しながら略整列させて巻回することができる。しかも、この巻取作業時に、ホース挿通孔４７の縁にホース３５が干渉するが、ホース３５が巻取軸部材３６と一緒に回転することはないため、ホース３５の巻取作業の阻害を大幅に抑制することができる。
【００４１】
また、本実施形態では、モータなどの駆動手段を有する誘導機構や、ホースリール３４全体を回転可能とする台を設けることなく、孔４７によりガイド手段を構成しているため、安価に実施が可能であるうえ、全体が大型化することを防止できる。しかも、本実施形態では、その孔４７をホース３５を覆うカバー１７に設けているため、その外観をも向上することができる。
【００４２】
なお、本発明のホースリール３４は、前記実施形態の構成に限定されるものではなく、種々の変更が可能である。
【００４３】
例えば、前記実施形態では、ガイド手段を構成するホース挿通孔４７を横方向に長い楕円形状に形成したが、縦方向に長い楕円形状としてもよいうえ、真円形状としてもよく、その形状は希望に応じて変更が可能である。また、前記実施形態では、外カバー４５に形成した孔により構成したが、底カバー４８などの回転しない固定部材に対してＵ字型やＨ字型のガイド部材を固定してもよい。即ち、ホース３５に対して何ら外力を加えていない状態で、巻取軸部材３６の略中央にホース３５を位置させるようにガイドできる構成とすればよい。
【００４４】
また、前記実施形態では、本発明のホースリール３４を噴霧機に搭載したが、水道の蛇口に接続して散水ホースを巻き取るホースリール単体などとしても使用することが可能である。
【図面の簡単な説明】
【００４５】
【図１】本発明の実施形態に係る噴霧機を示す斜視図である。
【図２】噴霧機本体の断面図である。
【図３】噴霧機本体の要部斜視図である。
【図４】操作パネルの正面図である。
【図５】（Ａ），（Ｂ）ホースを送出する状態を示す斜視図である。
【図６】（Ａ）〜（Ｄ）はホースを巻き取る状態の一例を示す断面図である。
【図７】従来のホースリールの課題を説明するための正面図である。
【符号の説明】
【００４６】
１０…噴霧機本体
１１…タンク
１８…ギアポンプ（噴出手段）
３４…ホースリール
３５…ホース
３６…巻取軸部材
３９…回転操作用レバー
４１…底板
４５…外カバー
４７…ホース挿通孔（ガイド手段）
４８…底カバー
【図１】
2006131398.tif 000003
【図２】
2006131398.tif 000004
【図３】
2006131398.tif 000005
【図４】
2006131398.tif 000006
【図５】
2006131398.tif 000007
【図６】
2006131398.tif 000008
【図７】
2006131398.tif 000009